(57)【特許請求の範囲】
【請求項１】
基材上の少なくとも一部に印刷画像を備え、前記印刷画像は、前記基材の色とは異なる色を有した第一の画像の上に、カラーフリップフロップ性を有した盛り上がりのある透明又は半透明な第二の画像を重ね合わせて成る潜像印刷物であって、
前記第一の画像は、第一の背景部と第一の情報部とを備え、
前記第一の背景部は、第一の背景画線が、第一のピッチで第一の方向に連続して複数配置され、前記第一の背景画線における一部の位相を第一の方向にずらすことによって、第三の有意情報を構成する第一のネガ画線群と第一のポジ画線群に区分けされ、
前記第一の情報部は、第一のピッチで前記第一の方向に連続して配置されて第一の有意情報を表して成る第一の情報画線を有し、
前記第一の背景画線と前記第一の情報画線は、重なり合わないように形成され、
前記第二の画像は、第二のポジ画線が第一のピッチで前記第一の方向に連続して配置されて第二の有意情報を表して成る第二のポジ画線群と、第二のネガ画線が第一のピッチで第一の方向に連続して配置されて成る第二のネガ画線群から成り、
前記第二のポジ画線と前記第二のネガ画線は、重なり合わないように形成され、
前記第二のポジ画線及び前記第二のネガ画線のいずれか一方は、入射光に対するそれぞれの画線からの反射光量を異ならせるための非画線領域を備えて形成され、
前記潜像印刷物を観察する際の観察角度に応じて、可視光源下において、前記第一の画像における第一の背景画線と前記第一の情報画線の面積率の差異によって視認できる前記第一の有意情報と、前記第二のポジ画線群と前記第二のネガ画線群における反射光量の差異によって視認できる前記第二の有意情報と、前記第一の画像を構成している前記第一の背景画線の一部の位相をずらすことで区分けされた前記第一のネガ画線群と前記第一のポジ画線群が、前記第二の画像の前記第二のポジ画線及び前記第二のネガ画線と干渉することによって視認できる第三の有意情報と、が順に視認できることを特徴とする潜像印刷物。
【請求項２】
前記第一の背景部の画線面積率は、２５％以上７５％以下であることを特徴とする請求項１に記載の潜像印刷物。
【請求項３】
前記第一の情報部の画線面積率は、前記第一の背景部の画線面積率の１０％以上７５％以下であること特徴とする請求項１又は２記載の潜像印刷物。
【請求項４】
前記第二のポジ画線群と前記第二のネガ画線群は、１０％以上９０％以下であり、かつ、等しい画線面積率であることを特徴とする請求項１乃至請求項３のいずれか１項に記載の潜像印刷物。
【請求項５】
前記第一のネガ画線群と前記第一のポジ画線群は、前記第一の背景画線における一部の位相が、前記第一の方向に前記第一のピッチの１／２ピッチずれていることを特徴とする請求項１乃至請求項４のいずれか１項に記載の潜像印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、通常の観察条件で第一の有意情報が観察でき、光を入射させることで第二の有意情報が出現し、印刷物を深く傾けて観察することで第三の有意情報が出現する潜像印刷物に関する。
【背景技術】
【０００２】
近年のスキャナ、プリンタ、カラーコピー機等のデジタル機器の進展により、貴重印刷物の精巧な複製物を容易に作製することが可能となっている。そのため、前述したような複製や偽造を防止するため、プリンタやコピー機では再現不可能な様々な偽造防止技術が必要とされている。また、その偽造防止技術は特別な道具を必要とすることなく、万人が容易に真偽判別できる技術であることが望まれる。
【０００３】
それらの真偽判別可能な技術の一つに、基材や画線の凹凸を利用して形成する潜像模様がある。これは、印刷物に正対して観察した場合には潜像画像が視認されず、印刷物を深く傾けることで潜像画像が出現する効果を有している。このような基材や画線の立体構造を利用して形成する真偽判別可能な要素はカラーコピーやプリンタを用いた偽造が不可能であることから、高い偽造抵抗力を備える。
【０００４】
既に、本出願人は、基材表面に印刷した第一の画線と、その上に印刷された盛り上がりのある透明又は半透明な画線によって、真上から観察したときは画像が認識されず、観察角度を変化させることで画像が認識できる偽造防止形成体に係わる発明を出願している（特許文献１及び特許文献２参照）。
【０００５】
さらに、本出願人は、基材上に万線パターンを形成した第一の印刷層の上に、カラーフリップフロップ性を備えた盛り上がりのある画線によって面積率や位相に差異を設けた第二の印刷層を重ね合わせて形成する潜像印刷物であって、光を入射させることで第一の潜像画像が出現し、潜像印刷物を深く傾けて観察することで第二の潜像画像が出現する潜像印刷物を出願している（特許文献３参照）。
【先行技術文献】
【特許文献】
【０００６】
【特許文献１】特許第４３７４４４６号公報
【特許文献２】特許第３６８６９５３号公報
【特許文献３】特開２０１１−５６４１号公報
【発明の概要】
【発明が解決しようとする課題】
【０００７】
特許文献１及び２に記載の技術は、基材表面に印刷した画線の上に、盛り上がりのある画線を重ね合わせて形成する構成であって、深く傾けることで潜像が出現する効果を有する技術である。しかし、印刷物中に潜像画像が出現することを確認するためには、印刷物と正対した傾け角度０°の角度から、少なくとも印刷物を７０°以上傾けて観察する必要があった。この動作は、大きな動作となり印刷物の真偽判別を行っていることが周囲の人間には容易に知られてしまう。対面販売において、代金として渡された紙幣（印刷物）は、客が目の前にいる間に迅速に真偽判別を行う必要があるが、自分が渡した紙幣が真偽判別の対象となっていることを知った客の心境はよいものではない。以上のことから、特許文献１及び特許文献２に記載の技術のように、真偽判別に不自然に大きな動作が伴うことは望ましいことではない。
【０００８】
特許文献３の技術は、特許文献１及び２のように印刷物を７０°以上傾けることで出現する潜像画像（第二の潜像画像）の他に、印刷物に光に当てることで出現する、もう一つの潜像画像（第一の潜像画像）を備えた技術である。この技術は、印刷物に光を反射させて第一の潜像画像を視認できなかった場合に、印刷物を深く傾けて第二の潜像画像の認証を行う技術である。通常の対面販売では、第一の潜像画像の認証だけで充分であり、印刷物に光を反射させる動作は極めて小さな自然な動作で行えることから、客に気付かれることはなく、心境を損なうことはない。光に反射させた場合に出現する第一の潜像画像が不明瞭であったり、周囲に照明が存在しない薄暗い環境下において、印刷物を深く傾けて第二の潜像画像を認証したりすればよく、その場面に応じた認証方法を選択することが可能である。
【０００９】
しかしながら、特許文献３の技術において、第一の潜像画像及び第二の潜像画像は盛り上がりのある画線で構成する必要がある。画線の盛り上がり高さは、画線幅と一定の相関があることから、充分な画線の盛り上がりを得るためには、一定以上の画線幅が必要となる。これに加え、充分な視認性を有する第二の潜像画像を形成するためには、盛り上がりのある画線は画線幅分だけ位相をずらして形成する必要がある。よって、第一の潜像画像及び第二の潜像画像は、単純なマークや文字を表現することしかできず、その場合でも盛り上がりのある画線幅と画線ピッチを大きくする必要があった。そして、画線ピッチが大きくなると、同じ傾け角度で潜像を認証できる構成としたい場合、画線ピッチが小さい構成と比較してより高い画線の盛り上がりが必要になるという問題があり、結局大きな印刷面積とより高い画線の盛り上がりが必要になるという問題があった。
【００１０】
本発明は、前述した課題の解決を目的とするものであり、対面販売において、目の前の客に気付かれない程度のさりげない動きの中で真偽判別が行える印刷物であって、観察角度に応じて三パターンの有意情報が順に一つずつ視認でき、画線のピッチは小さな値に抑えることができるため、解像度の高い潜像画像も容易に表現でき、印刷画像の印刷面積も小さくすることが可能な潜像印刷物を提供するものである。
【課題を解決するための手段】
【００１１】
本発明における潜像印刷物は、基材上の少なくとも一部に印刷画像を備え、印刷画像は、基材の色とは異なる色を有した第一の画像の上に、カラーフリップフロップ性を有した盛り上がりのある透明又は半透明な第二の画像を重ね合わせて成る潜像印刷物であって、第一の画像は、第一の背景部と第一の情報部とを備え、第一の背景部は、第一の背景画線が、第一のピッチで第一の方向に連続して複数配置され、第一の背景画線における一部の位相をずらすことによって、第三の有意情報を構成する第一のネガ画線群と第一のポジ画線群に区分けされ、第一の情報部は、第一のピッチで第一の方向に連続して配置されて第一の有意情報を表して成る第一の情報画線を有し、第一の背景画線と第一の情報画線は、重なり合わないように形成され、第二の画像は、第二のポジ画線が第一のピッチで第一の方向に連続して配置されて第二の有意情報を表して成る第二のポジ画線群と、第二のネガ画線が第一のピッチで第一の方向に連続して配置されて成る第二のネガ画線群から成り、第二のポジ画線と第二のネガ画線は、重なり合わないように形成され、第二のポジ画線及び第二のネガ画線のいずれか一方は、入射光に対するそれぞれの画線からの反射光量を異ならせるための非画線領域を備えて形成され、潜像印刷物を観察する際の観察角度に応じて、可視光源下において、第一の有意情報、第二の有意情報及び第三の有意情報が順に視認できることを特徴とする。
【００１２】
本発明における潜像印刷物は、第一の背景部の画線面積率が、２５％以上７５％以下であることを特徴とする。
【００１３】
本発明における潜像印刷物は、第一の情報部の画線面積率が、第一の背景部の画線面積率の１０％以上７５％以下であることを特徴とする。
【００１４】
本発明における潜像印刷物は、第二のポジ画線群と第二のネガ画線群が、１０％以上９０％以下であり、かつ、等しい画線面積率であることを特徴とする。
【００１５】
本発明における潜像印刷物は、第一のネガ画線と第一のポジ画線が、第一の方向に第一のピッチの１／２ピッチずれていることを特徴とする。
【発明の効果】
【００１６】
本発明の潜像印刷物は、正対した状態（傾け角度０°）で第一の有意情報が、光を反射させた状態（正反射角度）で第二の有意情報が、深く傾けた状態（傾け角度７０°以上）で第三の有意情報が出現する効果を備える。対面販売では、印刷物に光を反射させて第一の有意情報が第二の有意情報へとチェンジすることを確認すればよい。この動作は極めて小さいため、目の前の客に気付かれない程度のさりげない動きの中で真偽判別が行える。
【００１７】
また、第一の有意情報が第二の有意情報へとチェンジする効果、第二の有意情報から第三の有意情報へとチェンジする効果、第一の有意情報が第三の有意情報へと変化するチェンジする効果は、いずれも有意情報が有意情報へと鮮明に変化する効果であって、主にフラットな階調の中に潜像画像が現れる従来の技術の効果と比較して認証性が格段に高くなることに加え、このチェンジングの効果を模倣することは困難であることから、偽造抵抗力も高くなる。
【００１８】
本発明の潜像印刷物は、盛り上がりのある画線で構成するのは第二の有意情報のみであり、従来の技術では盛り上がりのある画線で構成していた、傾けた場合に出現する潜像画像は、盛り上がりの必要がない第一の画像中に画線の位相のずれによって構成されるため、各画線のピッチは小さな値に抑えることができる。よって、解像度の高い潜像画像も容易に表現でき、印刷画像の印刷面積も小さくすることが可能である。
【００１９】
また、画線ピッチを狭く設計できるために、盛り上がりのある画線の盛り上がり高さが低くても充分な効果を発揮する。よって、本発明の潜像印刷物は、従来の技術では再現不可能であった解像度の高い潜像画像を形成可能であって、印刷画線をより小さく、かつ、画線の盛り上がりの高さもより低く形成可能である。
【図面の簡単な説明】
【００２０】
【図１】本発明の実施の形態における潜像印刷物を示す図である。
【図２】本発明の実施の形態における潜像印刷物の構造を示す図である。
【図３】本発明の実施の形態における第一の画像を示す図である。
【図４】本発明の実施の形態における第二の画像を示す図である。
【図５】本発明の実施の形態における一部に非画線部を有する画線を示す図である。
【図６】本発明の実施の形態における第一の画像と第二の画像の重なりを示す図である。
【図７】本発明の実施の形態における画線の重なりを示す図である。
【図８】本発明の実施の形態における効果を示す図である。
【図９】本発明の実施の形態において印刷物を深く傾けて観察した場合の効果の説明図である。
【図１０】本発明の一実施例における潜像印刷物を示す図である。
【図１１】本発明の一実施例における潜像印刷物の構造を示す図である。
【図１２】本発明の一実施例における第一の画像を示す図である。
【図１３】本発明の一実施例における第二の画像を示す図である。
【図１４】本発明の一実施例における効果を示す図である。
【図１５】本発明の一実施例における潜像印刷物を示す図である。
【図１６】本発明の一実施例における潜像印刷物の構造を示す図である。
【図１７】本発明の一実施例における第一の画像を示す図である。
【図１８】本発明の一実施例における第一の背景部を示す図である。
【図１９】本発明の一実施例における第一の情報部を示す図である。
【図２０】本発明の一実施例における第二の画像を示す図である。
【図２１】本発明の一実施例における効果を示す図である。
【発明を実施するための形態】
【００２１】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２２】
図１は、本発明の潜像印刷物（１）を示す図であり、基材（２）上に印刷画像（３）を備えて成る。
【００２３】
図２に、印刷画像（３）を構成する各画像要素の概念図を示す。印刷画像（３）は、第一の画像（４）の上に第二の画像（５）が形成されて成る。第一の画像（４）は、一様な階調で形成された第一の背景部（６）と、第一の有意情報であるアルファベットの「Ａ」の文字を表した第一の情報部（７）から成る。第一の背景部（６）は、第一の背景部（６）を形成している第一の背景画線（後述する）における一部の位相をずらすことによって、第三の有意情報であるアルファベットの「Ｃ」の文字をポジで表した第一のポジ画線群（８）と、第三の有意情報をネガで表した第一のネガ画線群（９）に区分けされる。
【００２４】
第二の画像（５）は、第二の有意情報であるアルファベットの「Ｂ」の文字をポジで表した第二のポジ画線群（１０）と、第二の有意情報をネガで表した第二のネガ画線群（１１）から成る。なお、第二の画像を構成する第二のポジ画線群（１０）と第二のネガ画線群（１１）は、盛り上がりのある画線で形成される。
【００２５】
図３に、第一の画像（４）の詳細な画線構成図を示す。図３（ａ）に示す第一の画像（４）は、第一の背景部（６）と第一の情報部（７）から成る。
【００２６】
図３（ｂ）に示すように、第一の背景部（６）は、画線幅（Ｗ１）の第一の背景画線（１２）が、第一の方向（図中上下方向）にピッチ（Ｐ１）で連続して複数配置されて成り、第一の背景画線（１２）における一部の位相をずらすことによって、第三の有意情報をネガ及びポジで表して成る第一のネガ画線群（９）と第一のポジ画線群（８）に区分けされている。
【００２７】
なお、本発明でいうネガとは、有意情報自体が淡く、一方の有意情報の周囲は濃い状態とし、本発明でいうポジとは、有意情報自体が濃く、一方の有意情報の周囲は淡い状態を指す。
【００２８】
第一の背景画線（１２）における位相のずれは、第一の背景画線（１２）のピッチ（Ｐ１）の１／２ピッチであることが最も望ましい。これは、後述する観察角度領域Ｃにおける第三の有意情報の視認性を高く保つためである。
【００２９】
図３（ｃ）に示すように、第一の情報部は、ピッチ（Ｐ１）で第一の方向に連続して配置されて第一の有意情報であるアルファベットの「Ａ」の文字を形成する第一の情報画線（１３）を有している。第一の情報画線（１３）を形成する形態を説明する。
【００３０】
その形態の一例として、図３（ｃ）に示すように、第一の情報部（７）は、ピッチ（Ｐ１）の中に画線幅（Ｗ２）の第一の情報画線（１３）が二本配置され、それを一組として間に幅（Ｗ１）の非画線部を有し、ピッチ（Ｐ１）で複数配置されて成る。この場合も同様に、第一の情報画線（１３）は、第一の背景画線（１２）における位相のずれに対応して、少なくとも一部の位相をずらすことによって、第一の背景画線（１２）と重複しないように形成されている。
【００３１】
別の形態としては、第一の情報部（７）は、画線幅（Ｗ２）の２倍の画線幅を有する第一の情報画線（１３）が、第一の方向（図中上下方向）にピッチ（Ｐ１）で連続して複数配置されてもよい。この場合は、前述した形態の一例がピッチ（Ｐ１）の中に第一の情報画線（１３）が２本配置されているのに対し、本形態の一例では、ピッチ（Ｐ１）の中に第一の情報画線（１３）が１本配置されることとなる。この場合も同様に、第一の情報画線（１３）は、第一の背景画線（１２）における位相のずれに対応して、少なくとも一部の位相をずらすことによって、第一の背景画線（１２）と重複しないように形成されている。
【００３２】
第一の背景部（６）の画線面積率は、２５％から７５％の範囲で形成されることが望ましい。なお、最も望ましい面積率は５０％である。第一の背景部（６）の画線面積率が２５％以下又は７５％以上の場合、第二の画像（５）の盛り上がりのある画線の重なり方によっては、後述する観察角度領域Ｃにおいて出現する第三の有意情報のコントラストが低くなり、容易に視認できなくなる可能性が高くなるため望ましくない。なお、本明細書中でいう画線面積率とは、一定の面積の中に画線の面積が占める割合を言う。
【００３３】
第一の情報部（７）の画線面積率は、第一の背景部（６）の画線面積率の１０％以上７５％以下であることが望ましい。１０％以下の場合、後述する観察角度領域Ａにおける観察で視認される第一の有意情報のコントラストが低くなり、容易に視認できなくなるためであり、７５％以上の場合、観察角度領域Ｂ及び観察角度領域Ｃにおける観察において、第一の有意情報が消失しきらない場合があるためである。
【００３４】
以上のように、第一の画像（４）は、その中に第一の有意情報と、第三の有意情報を備える。第一の有意情報は、第一の画像（４）の万線パターンの面積率の大小によって表され、第三の有意情報は万線パターンの第一の方向（図中上下方向）の位相のずれによって表されて成る。この第一の画像（４）は、基材（２）と異なる色を有するインキを用いて形成する。色はいかなる色でもよく、通常の着色インキを用いるほかに、金や銀のようなメタリック系インキを用いたり、高光沢なグロス系インキを用いたりすることで、より高いチェンジングの効果を得ることができる。
【００３５】
第一の画像（４）を印刷する場合の印刷方式は、オフセット印刷、凸版印刷、フレキソ印刷、グラビア印刷、凹版印刷等、いかなる方式を用いてもよいが、印刷した画線に高すぎる盛り上がりが形成された場合には、続いて重ね合わせる第二の画像（５）の印刷に悪影響を与えることがあるため、過剰に盛り上がりのある画線を形成してしまう印刷方式は好ましくない。最も好ましいのはオフセット印刷であり、高解像度な第一の画像（４）を容易に形成することができる。また、インキジェットプリンタやレーザプリンタ等のデジタル印刷機器を用いて形成しても何ら問題はない。
【００３６】
なお、説明の便宜上、実施の形態や実施例１及び実施例２の第一の画像（４）の説明図において、第一の画像（４）を構成している画線を縦線や横線、あるいは斜め線等によって記載しているが、実際には全て塗りつぶしの画線である。
【００３７】
図４に、第二の画像（５）を示す。第二の画像（５）は、図２で示したとおり、第二のポジ画線群（１０）と第二のネガ画線群（１１）から成る。
【００３８】
第二のポジ画線群（１０）と第二のネガ画線群（１１）は、正反射光下において反射光量の差異により第二の有意情報であるアルファベットの「Ｂ」の文字を可視化させる機能を有し、かつ、傾けた場合には、第三の有意情報であるアルファベットの「Ｃ」の文字を出現させるための壁として機能する。これらの具体的な機能については後記する。
【００３９】
第二のポジ画線群（１０）は、画線輪郭部及び／又は画線内部の少なくとも一部に、画線が存在しない非画線領域（欠損部分）を備える。第二のポジ画線群（１０）に非画線領域を設けることによって、一方の連続した直線で構成された第二のネガ画線群（１１）とは異なる立体構造を付与し、入射する光に対して、第二のネガ画線群（１１）とは異なる反射光を生じさせて光のコントラストを生じさせて、第二の有意情報を可視化させることができる。また、第二の有意情報の視認性を高めるために、非画線領域は、一定の周期性を有する構造であることが望ましい。この非画線領域は拡散反射光下で容易に目視できない程度の大きさで形成することが望ましい。
【００４０】
一例として、図４に示す第二のポジ画線群（１０）は、少なくとも一部に非画線部を有する画線幅（Ｗ４）の第二のポジ画線（１５）が、第一の方向（図中上下方向）にピッチ（Ｐ１）で連続して複数配置されて、第二の有意情報であるアルファベットの「Ｂ」の文字をポジで形成している。
【００４１】
この場合における少なくとも一部に非画線部を有する第二のポジ画線（１５）とは、画線幅（Ｗ４）の画線をベースとして、第一の方向（図中上下方向）と直交する角度にピッチ（Ｐ２）、幅（Ｗ５）で分断された画線のことである。
【００４２】
ただし、この形態は一例であり、その他の形態として図５に示す。
【００４３】
図５（ａ）に示す形態は、図４で説明した形態と同様である。
【００４４】
図５（ｂ）に示す形態は、第二のポジ画線（１５）における画線を分断し、かつ分岐させた、いわゆる分断分岐画線とした例であり、この形態では上下左右あらゆる方向から入射する光に対して、第二のネガ画線（１４）との間に光のコントラストを生じさせることができる。
【００４５】
図５（ｃ）に示す形態は、第二のポジ画線（１５）における画線の一部分の位相を第一の方向にずらした、いわゆる位相変調画線とした例であり、この形態においても上下左右あらゆる方向から入射する光に対して、第二のネガ画線（１４）との間に光のコントラストを生じさせることができる。
【００４６】
図５（ｄ）に示す形態は、第二のポジ画線（１５）における画線幅方向に沿って両方の画線面に切り込みを設けた骨画線とした例であり、この形態でも上下左右あらゆる方向から入射する光に対して、第二のネガ画線（１４）との間に強い光のコントラストを生じさせることができる。また、図示はしていないが、画線幅方向に沿って一方の画線面のみに切り込みを設けた形態でもよい。
【００４７】
第二のネガ画線群（１１）は、画線幅（Ｗ３）の第二のネガ画線（１４）が、第一の方向（図中上下方向）にピッチ（Ｐ１）で連続して複数配置されて、第二の有意情報であるアルファベットの「Ｂ」の文字をネガで形成している。
【００４８】
第二のポジ画線群（１０）と第二のネガ画線群（１１）の画線面積率は、１０％から９０％の範囲で形成することが望ましい。１０％以下や９０％以上で形成すると、後述する観察角度領域Ｃにおいて出現する第三の有意情報が充分な視認性を得られず、不明瞭となるためである。
【００４９】
第二の画像（５）を形成する画線が透明である場合、第二のポジ画線群（１０）と第二のネガ画線群（１１）の画線面積率はお互いに異なっていても問題ないが、第二の画像（５）を形成する画線が半透明である場合、第二のポジ画線群（１０）と第二のネガ画線群（１１）の画線面積率は略等しいことが望ましい。第二の画像（５）を形成する画線が不透明である場合、拡散反射光下のいずれかの角度から観察した場合に第二の有意情報が視認されてしまう場合がある。よって、第二のポジ画線群（１０）と第二のネガ画線群（１１）の面積率は略等しいことが望ましい。
【００５０】
第二のネガ画線（１４）の画線幅（Ｗ３）と第二のポジ画線（１５）の画線幅（Ｗ４）が異なる構成のとき、互いの画線幅の差が大きすぎると、後述する観察角度領域Ｃで出現する第三の有意情報の濃淡の中に第二の有意情報の濃淡が反映されて、不明瞭な画像となる場合がある。そのため、第二のネガ画線（１４）の画線幅（Ｗ３）と第二のポジ画線（１５）の画線幅（Ｗ４）の差異は、２倍以下に留める必要がある。
【００５１】
また、前述したように、第二のポジ画線（１５）又は第二のネガ画線（１４）が、画線を完全に分断した分断線であり、かつ、その分断線が単純に第一の方向に一定のピッチで配置された構成を用いる場合には、分断された画線と画線の間の非画線部の幅は０．２ｍｍ以下に留めることが望ましい。０．２ｍｍを超えた場合、後述する観察角度領域Ｃにおける観察において、盛り上がりのある画線の遮蔽効果が機能せず、第三の有意情報の発現効果が低下する場合があるためである。
【００５２】
しかし、後述する実施例１のように、画線が完全に分断された分断線を用いるものの、その分断線は第一の方向に隣り合った分断線の非画線領域の位相をわずかにずらして配置した場合や、後述する実施例２のように、画線を完全に分断せず、画線輪郭部のみを分断して画線中心のみつながった分断線を用いた場合にはこの限りではない。
【００５３】
第二の画像（５）は、透明か、あるいは半透明なカラーフリップフロップ性を有するインキを用いて、盛り上がりのある画線で形成する。不透明なインキを用いた場合には、第一の情報画線（１３）が第二の画像（５）によって隠蔽され、第一の有意情報の視認性が低下してしまうために好ましくない。第二の画像（５）については、盛り上がりが必要であることから、フレキソ印刷やグラビア印刷でも形成可能であるが、高い画線の盛り上がりを容易に形成可能な凹版印刷やスクリーン印刷で形成することがより望ましい。
【００５４】
第二の画像（５）の画線の盛り上がりは、適切な画線ピッチで構成すれば２μｍあれば効果を発揮する。最大高さは、効果の面から考えると特に制限が生じるものではないが、潜像印刷物の耐摩擦性や流通適性から考えると５０μｍ以下に留めることが望ましい。
【００５５】
なお、本明細書で言うカラーフリップフロップ性とは、正反射した場合に、色相が変化する特性のことであり、光沢インキや金属インキ等が有する明暗のみが変化する明暗フリップフロップ性とは異なり、正反射時の色変化に富んだ性質のことである。このカラーフリップフロップ性を備えた材料としては、近年多種多様な顔料が販売されているが、現在市販されている代表的な顔料としては、虹彩色パール顔料、鱗片状マイカ顔料、鱗片状金属顔料、ガラスフレーク顔料、コレステリック液晶顔料等が存在する。
【００５６】
これらの顔料を適量分散させてインキ化し印刷することで、透明性あるいは半透明であって、カラーフリップフロップ性を備えた画線を形成することが可能である。本明細書中では、主に虹彩色パール顔料を用いて第二の画像（５）を形成している。虹彩色パール顔料を含んで形成された画線は、拡散反射光下では無色透明であり、正反射光が生じた場合にのみ特定の色相の干渉色を発する特徴を有している。
【００５７】
高いカラーフリップフロップ性を付与したい場合には、盛り上がりのある画線の表面にカラーフリップフロップ性を有する顔料が画線表面にそろって配向していることが望ましく、このような状態は一般にリーフィングと呼ばれる。優れたリーフィング効果を得る方法としては、例えば特開２００１−１０６９３７号公報に記載の技術のように顔料に撥水及び撥油性を付与する方法がある。
【００５８】
以上のような第二の画像（５）を、第一の画像（４）を形成した上に重ねて、図６に示すように印刷画像（３）を形成する。第一の画像（４）の画線群と第二の画像（５）の画線群は平行に重ね合わせる必要がある。
【００５９】
図７（ａ）〜（ｄ）に、第一の画像（４）と第二の画像（５）の重なりの位置がそれぞれ異なる場合の、潜像印刷物（１）の一部を拡大した正面図と、Ａ−Ａ´の断面から見た断面図を示す。
【００６０】
図７（ａ）は、第一の背景画線（１２）の中心に、第二のネガ画線（１４）がちょうど重なる状態であり、図７（ｂ）は、第一の背景画線（１２）と、第二のネガ画線（１４）が大きく重なる状態であり、図７（ｃ）は、第一の背景画線（１２）と、第二のネガ画線（１４）が重ならない状態であり、図７（ｄ）は、第一の背景画線（１２）と、第二のネガ画線（１４）が完全に一致した状態であり、このいずれの場合でも本発明の潜像印刷物（１）を形成することができ、一定の効果を得ることができる。
【００６１】
ただし、第二の画像（５）の盛り上がりのある画線が半透明であって、やや光の遮断性の強い画線である場合、図７（ｃ）と図７（ｄ）のように、二つの画線が重なるか、重ならないかの最も極端な違いが生じた状態では、第一の画像（４）の画線と第二の画像（５）の画線が干渉することで、第三の有意情報が拡散反射光下で可視化される場合があり、好ましくない。この場合に限り、図７（ａ）か、図７（ｂ）に示す位置関係で二つの画像を重ね合わせることが望ましい。
【００６２】
次に、本発明の潜像印刷物（１）の効果について、図８を用いて説明する。図８（ａ）に、光源（１６）と潜像印刷物（１）と観察者の視点（１７ａ、１７ｂ、１７ｃ）の位置関係を示し、図８（ｂ）、図８（ｃ）、図８（ｄ）にそれぞれの視点（１７ａ、１７ｂ、１７ｃ）で観察者が視認できる画像を示す。なお、本実施の形態の説明においては、光源（１６）から約４５度の角度で潜像印刷物に光が入射する例で説明する。
【００６３】
まず、観察者の視点が視点（１７ａ）にある場合、光源（１６）から入射する光の角度と、潜像印刷物（１）から反射して視点（１７ａ）に達する光の角度が大きく異なる。この状態では、観察者の視点（１７ａ）に達する反射光の中に正反射光はほとんど存在せず、拡散反射光が支配的となる。本明細書中では、この観察角度領域を観察角度領域Ａと呼ぶこととする。なお、観察角度領域Ａは、後述する観察角度領域Ｂを挟んで反対側にも存在する。
【００６４】
この観察角度領域Ａの中に観察者の視点（１７ａ）がある場合、観察者には図８（ｂ）に示す第一の有意情報であるアルファベットの「Ａ」の文字が観察される。観察される画像は、第一の画像（４）を形成したインキの色彩で視認される。
【００６５】
続いて、観察者の視点が視点（１７ｂ）にある場合、光源（１６）から入射する光の角度と、潜像印刷物（１）から反射して視点（１７ｂ）に達する光の角度が同じか、近い値と成る。この状態では、観察者の視点（１７ｂ）に達する反射光の中に正反射光の割合が著しく増え、正反射光が支配的であって、拡散反射光が極端に少ない状態となる。本明細書中では、この観察角度領域を観察角度領域Ｂと呼ぶこととする。
【００６６】
この観察角度領域Ｂの中に観察者の視点（１７ｂ）がある場合、観察者には図８（ｃ）に示す第二の有意情報であるアルファベットの「Ｂ」の文字が観察される。また、入射する光の角度に応じて第二のポジ画線群（１０）が強く光を反射するか、あるいは第二のネガ画線群（１１）が光を強く反射するかの違いが生じ、いわゆる光の「ネガポジ反転効果」も生じる。この場合、観察される画像は、カラーフリップフロップ性を有する顔料の干渉色の濃淡によって視認される。
【００６７】
最後に、観察者の視点が視点（１７ｃ）にある場合、光源（１６）から入射する光の角度と、潜像印刷物（１）から反射して視点（１７ｃ）に達する光の角度が大きく異なるため、観察角度領域Ａと同じく拡散反射光が支配的となり、第二の画像（５）のカラーフリップフロップ性は失われて第二の有意情報は不可視となる。ただし、第二の画像（５）を極めて深い角度から観察した場合、盛り上がりのある画線の表面は、画線群を形成する材料に含まれている顔料成分による光の散乱や屈折が大きくなることで、画線の透明度がみかけ上は低下し、透明あるいは半透明だった画線が不透明なやや白みがかった色に変化する。よって、正対した状態では透明あるいは半透明であった第二の画像（５）の画線群が、深い角度の観察においては、第一の画像（４）を形成する画線群や基材を観察者の視点（１７ｃ）から遮蔽する壁として機能する。盛り上がりのある画線の手前にある画線は見え、盛り上がりの画線の奥にある画線は見えなくなる、いわゆる遮蔽効果が観察角度領域Ｃにおいて生じる。本明細書中では、この観察角度領域を観察角度領域Ｃと呼ぶこととする。
【００６８】
この観察角度領域Ｃの中に観察者の視点（１７ｃ）がある場合、観察者には図８（ｄ）に示す第三の有意情報であるアルファベットの「Ｃ」の文字が観察される。また、第一の背景画線（１２）に対する、第二のネガ画線（１４）及び第二のポジ画線（１５）の重なった位置関係に応じて、第一のポジ画線群（８）が濃く見えるか、あるいは第一のネガ画線群（９）が濃く見えるかの違いが生じ、図８（ｄ）に示すように、第三の有意情報がネガで見える場合と、ポジで見える場合とがある。この場合、観察される画像は、第一の画像（４）を形成したインキの色彩の濃淡によって視認される。なお、観察者の視点（１７ｃ）から第三の有意情報がネガで見えた場合、潜像印刷物を第一の方向で上下を反転させて観察すると濃淡が反転してポジで見え、逆に観察者の視点（１７ｃ）から第三の有意情報がポジで見えた場合、潜像印刷物を第一の方向で上下を反転させて観察すると濃淡が反転してネガで見える、「ネガポジ反転効果」も生じる。
【００６９】
以上が、本発明の潜像印刷物（１）の効果であるが、以下に以上の効果が発現する原理について説明する。まず、観察角度領域Ａにおいて、第一の画像（４）は着色されて成る一方で第二の画像（５）は透明か半透明であることから、第一の画像（４）のみが視認される。
【００７０】
観察角度領域Ｂにおいて、第二の画像（５）はカラーフリップフロップ性を有した画線で形成されているために特定の干渉色を呈する。また、盛り上がりのある立体構造物は、入射した光と法線を成す立体物表面が最も強く光を反射し、逆に、入射した光と平行な角度の立体物表面の反射する光が小さい。第二のポジ画線群（１０）と第二のネガ画線群（１１）とはいずれも盛り上がりを有する画線であるものの、それぞれ画線細部の立体構造が異なるため、特定の方向から光が入射した場合に、反射する光の強弱が生じ、それによって第二のポジ画線群（１０）と第二のネガ画線群（１１）との間に一定のコントラストが得られ、第二の有意情報が出現する。このとき、第一の画像（４）は、第一の情報部（７）の濃度に適切な制限を設けているために、第二の画像（５）から発せられる強い光の反射によって隠蔽される。よって、観察角度領域Ｂでは第二の有意情報のみが視認される。
【００７１】
観察角度領域Ｃにおいては、正反射光がほとんど生じないことから、第二の画像（５）に含まれる第二の有意情報は不可視となる一方、第一の画像（４）のうちの一部の画線は、第二の画像（５）の盛り上がりのある画線群によって隠蔽される。この隠蔽効果の説明のため、図９（ａ）に、観察者が潜像印刷物（１）をＡ´−Ｂ´ライン側から第一の方向と平行に、観察角度領域Ｃ中に視点をおいて観察する図を示し、また、この場合のＢ´−Ｂラインの断面図を図９（ｃ）に示し、Ａ´−Ａラインの断面図を図９（ｂ）に示す。第一の背景画線（１２）は、ピッチ（Ｐ１）の２分の１だけ第一の方向に位相がずれていることから、図９（ｂ）に示すように、第一のポジ画線群（８）を形成している第一の背景画線（１２）と第二のネガ画線（１４）が重なっている場合、第一のネガ画線群（９）を形成している第一の背景画線（１２）と第二のネガ画線（１４）の重なりは、図９（ｃ）に示すように、二つの画線の重なり合いの位相が逆転した関係となる。
【００７２】
図９（ａ）に示す状態で潜像印刷物（１）を観察した場合、盛り上がりのある画線による隠蔽効果が生じ、図９（ｂ）に示すように、観察者の視点（１７ｃ）からは、第二のネガ画線（１４）の手間にある第一のポジ画線群（８）を形成している第一の背景画線（１２）が視認できる一方、図９（ｃ）に示すように、観察者の視点（１７ｃ）からは、第二のネガ画線（１４）の奥にある第一のネガ画線群（９）を形成している第一の背景画線（１２）は視認できない。よって、第一のポジ画線群（８）が濃くなり、第一のネガ画線群（９）は淡くなることで、第三の有意情報であるアルファベットの「Ｃ」の文字が出現する。このとき、第一の画像（４）の中の第一の有意情報は、第一の情報部（７）の濃度に適切な制限を設けているために、二つの画線の干渉によって生じる強い濃淡によって隠蔽される。よって、観察角度領域Ｃでは第三の有意情報のみが視認される。
【００７３】
以下、前述の発明を実施するための形態に従って、具体的に作成した潜像印刷物の実施例について詳細に説明するが、本発明は、この実施例に限定されるものではない。
【実施例１】
【００７４】
実施例１について、図１０から図１４を用いて説明する。実施例１は、第一の画像をオフセット印刷で形成し、第二の画像をスクリーン印刷で印刷して潜像印刷物を形成した例である。
【００７５】
図１０に、実施例１の潜像印刷物（１−１）を示す。潜像印刷物（１−１）は、基材（２−１）に一般的な白色上質紙（日本製紙製  ＮＰＩフォーム用紙）を用い、赤色の印刷画像（３−１）を形成した。
【００７６】
図１１に、印刷画像（３−１）を構成する各画像要素を示す。印刷画像（３−１）は、第一の画像（４−１）の上に第二の画像（５−１）が形成されて成る。第一の画像（４−１）は、一様な階調で形成された第一の背景部（６−１）と、第一の有意情報であるアルファベットの「Ａ」を表した第一の情報部（７−１）から成る。第一の背景部（６−１）は、第三の有意情報であるアルファベットの「Ｃ」をポジで表した第一のポジ画線群（８−１）と、第三の有意情報をネガで表した第一のネガ画線群（９−１）に区分けされる。
【００７７】
第二の画像（５−１）は、第二の有意情報であるアルファベットの「Ｂ」をポジで表した第二のポジ画線群（１０−１）と、第二の有意情報をネガで表した第二のネガ画線群（１１−１）から成る。第二の画像を構成する第二のポジ画線群（１０−１）と第二のネガ画線群（１１−１）は、盛り上がりのある画線で形成される。なお、図１０の印刷画像（３−１）の図中に「Ｂ」の文字が現れているが、実際には「Ｂ」の文字は不可視であり、第一の有意情報である「Ａ」の文字のみが視認される。
【００７８】
図１２に、第一の画像（４−１）の詳細な画線構成図を示す。図１１に示したように第一の画像（４−１）は、第一の背景部（６−１）と第一の情報部（７−１）から成る。
【００７９】
第一の背景部（６−１）は、画線幅０．１５ｍｍの第一の背景画線（１２−１）が、第一の方向に０．３ｍｍピッチで連続して複数配置されて成り、第一の背景画線（１２−１）における一部の位相を第一の方向に０．１５ｍｍずらすことによって、第三の有意情報をネガ及びポジで表して成る第一のポジ画線群（８−１）と第一のネガ画線群（９−１）に区分けされている。
【００８０】
第一の情報部は、第一の有意情報であるアルファベットの「Ａ」を形成する第一の情報画線（１３−１）を有している。その形態として、０．３ｍｍピッチの中に画線幅０．０２ｍｍの第一の情報画線（１３−１）が二本配置され、それを一組として０．１５ｍｍの幅の非画線部を有し、第一の方向に０．３ｍｍピッチで複数配置されて成る。第一の情報画線（１３−１）は、第一の背景画線（１２−１）における位相のずれに対応して、少なくとも一部の位相を第一の方向に０．１５ｍｍずらすことによって、第一の背景画線（１２−１）と重複しないように形成されている。
【００８１】
実施例１における第一の背景部（６−１）の画線面積率は、５０％である。また、一方の第一の情報部（７−１）の画線面積率は１３％であることから、第一の情報部（７−１）の画線面積率は、第一の背景部（６−１）の画線面積率の２６％である。
【００８２】
以上のような構成の第一の画像（４−１）を、ＵＶ乾燥方式のウェットオフセット印刷によって赤色の着色インキ（ＤａｉＣｕｕｅ  アビリオ  プロセス  紅Ｎ）で基材（２−１）上に印刷した。
【００８３】
図１３に、第二の画像（５−１）を示す。第二の画像（５−１）は、第二のポジ画線群（１０−１）と第二のネガ画線群（１１−１）から成る。第二のポジ画線群（１０−１）と、第二のネガ画線群（１１−１）とは、画線面積率の略等しい二つの盛り上がりを有する画線によって形成した。
【００８４】
第二のポジ画線群（１０−１）は、少なくとも一部に非画線部を有する画線幅０．２ｍｍの第二のポジ画線（１５−１）が、第一の方向（図面上下方向）に０．３ｍｍピッチで連続して複数配置されて、第二の有意情報であるアルファベットの「Ｂ」の文字をポジで形成している。
【００８５】
少なくとも一部の非画線部を有する第二のポジ画線（１５−１）とは、図１３に示すように、画線幅０．３ｍｍの画線をベースにして、第一の方向（図面上下方向）と直行する角度で幅０．１５ｍｍ及び０．２ｍｍピッチで分断された画線のことである。
【００８６】
第一の方向に隣り合う第二のポジ画線（１５−１）同士の非画線領域は、第一の方向と直交する方向に０．０５ｍｍ（分断線の非画線領域の幅にあたる）ずらして配置した。このように第一の方向に隣り合う第二のポジ画線（１５−１）同士の非画線領域をずらすことによって、非画線領域を設けることで損なわれる傾向のある、観察角度領域Ｃにおける盛り上がりのある画線の遮蔽効果を補い、観察角度領域Ｃにおいて第二の有意情報が可視化されることを防ぐことができる。
【００８７】
第二のネガ画線（１４−１）は、画線幅０．１５ｍｍの画線であり、０．３ｍｍピッチで第一の方向に連続して複数配置されて、第二の有意情報であるアルファベットの「Ｂ」の文字をネガで表した第二のネガ画線群（１１−１）を形成して成る。第二のポジ画線（１５−１）と第二のネガ画線（１４−１）の画線面積率は等しく、第二のポジ画線群（１０−１）と第二のネガ画線群（１１−１）の面積率も５０％で等しい。以上のような構成の第二の画像を表１のスクリーンインキを用いて、ＵＶ乾燥方式のスクリーン印刷で第一の画像（４−１）の上に印刷して本発明の潜像印刷物（１−１）を得た。第二の画像（５−１）の画線の盛り上がり高さは約１０μｍであった。
【００８８】
【表１】
0005721103.tif 000002
【００８９】
表１に示すインキは、光が入射することで金色の干渉色を発する虹彩色パール顔料を含んでおり、本インキで形成した画線は、正反射光が生じない状態では無色透明であって、正反射光が生じた状態では金色の干渉色を発する画線となる。なお、本インキに混合した虹彩色パール顔料は顔料表面に撥水及び撥油性を付与し、盛り上がりのある画線表面に配向する特性を有している。
【００９０】
実施例１における潜像印刷物（１−１）の効果について図１４を用いて説明する。図１４（ａ）に、光源（１６−１）と潜像印刷物（１−１）と観察者の視点（１７ａ−１、１７ｂ−１、１７ｃ−１）の位置関係を示し、図１４（ｂ）、図１４（ｃ）、図１４（ｄ）にそれぞれの視点（１７ａ−１、１７ｂ−１、１７ｃ−１）で観察者が視認できる画像を示す。
【００９１】
観察者の視点（１７ａ−１）が観察角度領域Ａの中にある場合、図１４（ｂ）に示す第一の有意情報であるアルファベットの「Ａ」の文字が赤色で観察された。
【００９２】
観察者の視点が視点（１７ｂ−１）の観察角度領域Ｂの中にある場合、図１４（ｃ）に示す第二の有意情報であるアルファベットの「Ｂ」の文字が虹彩色パール顔料の干渉色である金色の光の強弱によって観察された。また、潜像印刷物（１−１）をわずかに傾けて入射する光の角度を変えたところ、図１１に示した第二のポジ画線群（１０−１）が強く光を反射するか、あるいは第二のネガ画線群（１１−１）が光を強く反射するかの違いが生じ、金色の光の「ネガポジ反転効果」も生じることが確認できた。
【００９３】
観察者の視点（１７ｃ−１）が観察角度領域Ｃにある場合、図１４（ｄ）に示す第二の有意情報であるアルファベットの「Ｃ」の文字が、図１１に示した第一のポジ画線群（８−１）は濃い赤色で、第一のネガ画線群（９−１）は淡い赤色で観察された。加えて、潜像印刷物（１−１）を第一の方向で上下を反転させて観察すると第二の有意情報であるアルファベットの「Ｃ」の文字と周囲の濃淡が反転し、第一のポジ画線群（８−１）は淡い赤色で、第一のネガ画線群（９−１）は濃い赤色で観察され、「ネガポジ反転効果」も備えることが確認できた。
【実施例２】
【００９４】
実施例２について、図１５から図２１を用いて説明する。実施例２は、第一の画像（４−２）を二種類の異なる色相のインキを用いて形成し、色彩表現豊かな潜像印刷物（１−２）を形成した例である。
【００９５】
図１５に、実施例２の潜像印刷物（１−２）を示す。潜像印刷物（１−２）は、基材（２−２）に一般的な白色コート紙（国立印刷局製  オフセットコート用紙）を用い、緑色の印刷画像（３−２）を形成した。
【００９６】
図１６に、印刷画像（３−２）を構成する各画像要素を示す。印刷画像（３−２）は、第一の画像（４−２）の上に第二の画像（５−２）が重ね合わせて形成されて成る。第一の画像（４−２）は、一様な階調で形成された第一の背景部（６−２）と、第一の有意情報であるアルファベットの「Ａ」を表した第一の情報部（７−２）から成る。第一の背景部（６−２）は、第三の有意情報であるアルファベットの「Ｃ」をポジで表した第一のポジ画線群（８−２）と、第三の有意情報をネガで表した第一のネガ画線群（９−２）に区分けされる。
【００９７】
第二の画像（５−２）は、第二の有意情報であるアルファベットの「Ｂ」をポジで表した第二のポジ画線群（１０−２）と、第二の有意情報をネガで表した第二のネガ画線群（１１−２）から成る。なお、第二の画像（５−２）を構成する第二のポジ画線群（１０−２）と第二のネガ画線群（１１−２）は、盛り上がりのある画線で形成した。なお、図１５の印刷画像（３−２）の図中に「Ｂ」の文字が現れているが、実際には「Ｂ」の文字は不可視であり、第一の有意情報である「Ａ」の文字のみが緑色で視認される。
【００９８】
図１７に、第一の画像（４−２）の詳細な画線構成図を示す。第一の画像（４−２）は、図示しない第一の背景部（６−２）と第一の情報部（７−２）から成る。
【００９９】
第一の背景部は、第一の背景画線Ａ（１２ａ−２）と第一の背景画線Ｂ（１２ｂ−２）の二種類の画線から形成され、第一の情報部は、第一の背景部を形成しているそれぞれの画線に隣接する第一の情報画線Ａ（１３ａ−２）と第一の情報画線Ｂ（１３ｂ−２）の二種類の画線から成る。
【０１００】
図１８に、第一の背景部（６−２）を形成する画線構成を示す。第一の背景部（６−２）は、画線幅０．１ｍｍの第一の背景画線Ａ（１２ａ−２）と画線幅０．１ｍｍの第一の背景画線Ｂ（１２ｂ−２）が、第一の方向に０．４ｍｍピッチで連続して配置されて成り、第一の背景画線Ａ（１２ａ−２）と第一の背景画線Ｂ（１２ｂ−２）における一部の位相を第一の方向に０．２ｍｍずらすことによって、第三の有意情報をネガ及びポジで表して成る第一のネガ画線群（９−２）と第一のポジ画線群（８−２）に区分けされている。
【０１０１】
図１９に、第一の情報部（７−２）を形成する画線構成を示す。第一の情報部（７−２）は、第一の有意情報であるアルファベットの「Ａ」を形成する第一の情報画線Ａ（１３ａ−２）と第一の情報画線Ｂ（１３ｂ−２）を有している。
【０１０２】
その形態として、０．４ｍｍピッチの中に画線幅０．０２ｍｍの第一の情報画線Ａ（１３ａ−２）が二本配置され、それを一組として０．１ｍｍの幅の非画線部を有し、第一の方向に０．４ｍｍピッチで複数配置されて成る。さらに、０．４ｍｍピッチの中に画線幅０．０２ｍｍの第一の情報画線Ｂ（１３ｂ―２）が二本配置され、それを一組として０．１ｍｍの幅の非画線部を有し、第一の方向に０．４ｍｍピッチで複数配置されて成る。第一の情報画線Ｂ（１３ｂ−２）も、第一の背景画線Ｂ（１２ｂ−２）における位相のずれに対応して、少なくとも一部の位相を第一の方向に０．２ｍｍずらすことによって、第一の背景画線Ｂ（１２ｂ−２）と重複しないように形成されている。
【０１０３】
第一の背景部を形成している第一の背景画線Ａ（１２ａ−２）及び第一の背景画線Ｂ（１２ｂ−２）と、第一の情報部を形成している第一の情報画線Ａ（１３ａ−２）及び第一の情報画線Ｂ（１３ｂ−２）の位置関係について図１７を用いて説明する。
【０１０４】
第一の情報画線Ａ（１３ａ−２）は、第一の背景画線Ａ（１２ａ−２）の上下両端にそれぞれ隣接し、第一の情報画線Ｂ（１３ｂ−２）は、第一の背景画線Ｂ（１２ｂ−２）の上下両端にそれぞれ隣接して成り、第一の有意情報であるアルファベットの「Ａ」を表して成る。
【０１０５】
実施例２における第一の背景部（６−２）の画線面積率は、５０％である。また、一方の第一の情報部（７−２）の画線面積率は２０％であることから、第一の情報部（７−２）の画線面積率は、第一の背景部（６−２）の画線面積率の４０％である。
【０１０６】
以上のような構成の第一の画像（４−２）を、二種類の異なる色相のインキを用いてＵＶ乾燥方式のウェットオフセット印刷で形成した。具体的には、第一の背景画線Ａ（１２ａ−２）と第一の情報画線Ａ（１３ａ−２）を青色の着色インキ（ＤａｉＣｕｕｅ  アビリオ  プロセス  藍Ｎ）で印刷し、第一の背景画線Ｂ（１２ｂ−２）と第一の情報画線Ｂ（１３ｂ−２）を黄色の着色インキ（ＤａｉＣｕｕｅ  アビリオ  プロセス  透明黄Ｎ）で、それぞれ基材（２−２）上に印刷した。なお、面積率の等しい青色の画線と黄色の画線が容易に目視できない程度の間隔で密集しているために、第一の画像（４−２）は混色した緑色と認識される。
【０１０７】
図２０に、第二の画像（５−２）を示す。第二の画像（５−２）は、図示しない第二のポジ画線群（１０−２）と第二のネガ画線群（１１−２）から成る。第二のポジ画線群（１０−２）と、第二のネガ画線群（１１−２）とは、画線面積率の略等しい二つの盛り上がりを有する画線によって形成した。
【０１０８】
第二のポジ画線（１５−２）は、画線幅０．２５ｍｍの画線をベースとして第一の方向と直交する角度に０．３ｍｍピッチで０．２ｍｍの画線幅で分断された画線の中心に幅０．１ｍｍの画線が重なった形状の分断線であって、この第二のポジ画線（１５−２）が、０．４ｍｍピッチで第一の方向に連続して配置されて、第二の有意情報であるアルファベットのＢの文字をポジで形成している。
【０１０９】
第二のネガ画線（１４−２）は、画線幅０．２ｍｍの画線であり、０．４ｍｍピッチで第一の方向に連続して配置されて、第二の有意情報であるアルファベットのＢの文字をネガで形成している。
【０１１０】
第二のポジ画線（１５−２）と第二のネガ画線（１４−２）の画線面積率は等しく、第二のポジ画線群（１０−２）と第二のネガ画線群（１１−２）の面積率も５０％で等しい。
【０１１１】
以上のような構成の第二の画像を実施例１と同じ表１のスクリーンインキを用いて、ＵＶ乾燥方式のスクリーン印刷で第一の画像（４−２）の上に印刷して本発明の潜像印刷物（１−２）を得た。第二の画像（５−２）の画線の盛り上がり高さは約１０μｍであった。
【０１１２】
実施例２における潜像印刷物（１−２）の効果について図２１を用いて説明する。図２１（ａ）に、光源（１６−２）と潜像印刷物（１−２）と観察者の視点（１７ａ−２、１７ｂ−２、１７ｃ−２）の位置関係を示し、図２１（ｂ）、図２１（ｃ）、図２１（ｄ）にそれぞれの視点（１７ａ−２、１７ｂ−２、１７ｃ−２）で観察者が視認できる画像を示す。
【０１１３】
観察者の視点（１７ａ−２）が観察角度領域Ａの中にある場合、観察者には図２１（ｂ）に示す第一の有意情報であるアルファベットの「Ａ」の文字が緑色で観察された。
【０１１４】
観察者の視点が視点（１７ｂ−２）の観察角度領域Ｂの中にある場合、図２１（ｃ）に示す第二の有意情報であるアルファベットの「Ｂ」の文字が虹彩色パール顔料の干渉色である金色の光の強弱によって観察された。また、潜像印刷物（１−２）をわずかに傾けて入射する光の角度を変えたところ、図１６に示した第二のポジ画線群（１０−２）が強く光を反射するか、あるいは第二のネガ画線群（１１−２）が光を強く反射するかの違いが生じ、金色の光の「ネガポジ反転効果」も生じることが確認できた。
【０１１５】
観察者の視点（１７ｃ−２）が観察角度領域Ｃにある場合、図２１（ｄ）に示す第二の有意情報であるアルファベットの「Ｃ」の文字が、図１７に示した第一のポジ画線群（８−２）は青色で、第一のネガ画線群（９−２）は黄色で観察された。加えて、潜像印刷物（１−２）を第一の方向で上下を反転させて観察すると第二の有意情報であるアルファベットの「Ｃ」の文字と周囲の色彩が反転し、第一のポジ画線群（８−２）は黄色で、第一のネガ画線群（９−２）は青色に変化する「色相反転効果」も備えていることが確認できた。
【符号の説明】
【０１１６】
１、１−１、１−２  潜像印刷物
２、２−１、２−２  基材
３、３−１、３−２  印刷画像
４、４−１、４−２  第一の画像
５、５−１、５−２  第二の画像
６、６−１、６−２  第一の背景部
７、７−１、７−２  第一の情報部
８、８−１、８−２  第一のポジ画線群
９、９−１、９−２  第一のネガ画線群
１０、１０−１、１０−２  第二のポジ画線群
１１、１１−１、１１−２  第二のネガ画線群
１２、１２−１、１２ａ−２、１２ｂ−２  第一の背景画線
１３、１３−１、１３ａ−２、１３ｂ−２  第一の情報画線
１４、１４−１、１４−２  第二のネガ画線
１５、１５−１、１５−２  第二のポジ画線
１６、１６−１、１６−２  光源
１７ａ、１７ｂ、１７ｃ、１７ａ−１、１７ｂ−１、１７ｃ−１、１７ａ−２、１７ｂ−２、１７ｃ−２  観察者の視点
Ｗ１、Ｗ２、Ｗ３、Ｗ４、Ｗ５  画線幅
Ｐ１、Ｐ２  ピッチ
【図１】
0005721103.tif 000003
【図２】
0005721103.tif 000004
【図３】
0005721103.tif 000005
【図４】
0005721103.tif 000006
【図５】
0005721103.tif 000007
【図６】
0005721103.tif 000008
【図７】
0005721103.tif 000009
【図８】
0005721103.tif 000010
【図９】
0005721103.tif 000011
【図１０】
0005721103.tif 000012
【図１１】
0005721103.tif 000013
【図１２】
0005721103.tif 000014
【図１３】
0005721103.tif 000015
【図１４】
0005721103.tif 000016
【図１５】
0005721103.tif 000017
【図１６】
0005721103.tif 000018
【図１７】
0005721103.tif 000019
【図１８】
0005721103.tif 000020
【図１９】
0005721103.tif 000021
【図２０】
0005721103.tif 000022
【図２１】
0005721103.tif 000023